【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
撮影装置を備えるデバイスと、情報処理装置と、を含み、前記撮影装置により撮影された写真画像の上に、工事現場に関する所定の記入項目が設けられた仮想表示板画像を重畳した、仮想表示板付き写真画像を保存する画像管理システムであって、
前記デバイスは、
前記仮想表示板画像を記憶する記憶手段と、
ユーザの入力操作に応じて、前記記入項目に対する、前記工事現場に関するデータを入力する入力手段と、
前記写真画像の撮影に応じて作成され当該写真画像に関する情報が記録されたメタデータのメーカー独自領域に前記工事現場に関するデータを追記する追記手段と、
前記工事現場に関するデータが入力された前記仮想表示板画像が重畳された前記仮想表示板付き写真画像と、前記追記手段により当該工事現場に関するデータが追記された前記メタデータと、を出力する出力手段とを有し、
前記情報処理装置は、
前記デバイスにより出力された前記仮想表示板付き写真画像及び前記メタデータを取得する取得手段と、
取得した前記メタデータのメーカー独自領域に記録された前記工事現場に関するデータに基づき、前記仮想表示板付き写真画像の分類あるいは整理を行う管理手段と、
を有する画像管理システム。
【請求項２】
撮影装置を備えるデバイスと、情報処理装置と、を含み、前記撮影装置により撮影された写真画像の上に、工事現場に関する所定の記入項目が設けられた仮想表示板画像を重畳した、仮想表示板付き写真画像を保存する画像管理システムであって、
前記デバイスは、
前記仮想表示板画像を記憶する記憶手段と、
ユーザの入力操作に応じて、前記記入項目に対する、前記工事現場に関するデータを入力する入力手段と、
前記写真画像の撮影に応じて作成され当該写真画像に関する情報が記録されたメタデータのメーカー独自領域に前記工事現場に関するデータを追記する追記手段と、
前記工事現場に関するデータが入力された前記仮想表示板画像が重畳された前記仮想表示板付き写真画像と、前記追記手段により当該工事現場に関するデータが追記された前記メタデータと、を出力する出力手段とを有し、
前記情報処理装置は、
前記デバイスにより出力された前記仮想表示板付き写真画像及び前記メタデータを取得する取得手段と、
取得した前記メタデータのメーカー独自領域に記録された前記工事現場に関するデータに基づき、前記仮想表示板付き写真画像の分類あるいは整理を行う管理手段と、
前記工事現場に関するデータを用いて前記仮想表示板付き写真画像を検索する検索手段と、
を有する画像管理システム。
【請求項３】
撮影装置を備えるデバイスと、情報処理装置と、を含み、前記撮影装置により撮影された写真画像の上に、工事現場に関する所定の記入項目が設けられた仮想表示板画像を重畳した、仮想表示板付き写真画像を保存する画像管理システムであって、
前記デバイスは、
前記仮想表示板画像を記憶する記憶手段と、
ユーザの入力操作に応じて、前記記入項目に対する、前記工事現場に関するデータを入力する入力手段と、
前記写真画像の撮影に応じて作成され当該写真画像に関する情報が記録されたメタデータのメーカー独自領域に前記工事現場に関するデータを追記する追記手段と、
前記工事現場に関するデータが入力された前記仮想表示板画像が重畳された前記仮想表示板付き写真画像と、前記追記手段により当該工事現場に関するデータが追記された前記メタデータと、を出力する出力手段とを有し、
前記情報処理装置は、
前記デバイスにより出力された前記仮想表示板付き写真画像及び前記メタデータを蓄積する蓄積手段と、
蓄積された前記仮想表示板付き写真画像を表示させる表示手段と、
を有する画像管理システム。
【請求項４】
撮影装置を備えるデバイスと、情報処理装置と、を含み、前記撮影装置により撮影された写真画像の上に、工事現場に関する所定の記入項目が設けられた仮想表示板画像を重畳した、仮想表示板付き写真画像を保存する画像管理システムであって、
前記デバイスは、
前記仮想表示板画像を記憶する記憶手段と、
ユーザの入力操作に応じて、前記記入項目に対する、前記工事現場に関するデータを入力する入力手段と、
前記写真画像の撮影に応じて作成され当該写真画像に関する情報が記録されたメタデータのメーカー独自領域に前記工事現場に関するデータを追記する追記手段と、
前記工事現場に関するデータが入力された前記仮想表示板画像が重畳された前記仮想表示板付き写真画像と、前記追記手段により当該工事現場に関するデータが追記された前記メタデータと、を出力する出力手段とを有し、
前記情報処理装置は、
前記デバイスにより出力された前記仮想表示板付き写真画像及び前記メタデータを蓄積する蓄積手段と、
前記仮想表示板付き写真画像をプリントさせるため、蓄積された前記仮想表示板付き写真画像をネットワークを介して提供するプリント手段と、
を有する画像管理システム。
【請求項５】
撮影装置を備えるデバイスと、前記デバイスから送信された情報を蓄積する情報処理装置と、前記情報処理装置に蓄積された情報を取得する端末装置と、印刷装置と、を含む画像管理システムであって、
前記デバイスは、
工事現場に関する所定の記入項目が設けられた仮想表示板画像を記憶する記憶手段と、
ユーザの入力操作に応じて、前記記入項目に対する、前記工事現場に関するデータを入力する入力手段と、
前記撮影装置により撮影された写真画像の撮影に応じて作成され当該写真画像に関する情報が記録されたメタデータのメーカー独自領域に前記工事現場に関するデータを追記する追記手段と、
前記工事現場に関するデータが入力された前記仮想表示板画像が重畳された仮想表示板付き写真画像と、前記追記手段により当該工事現場に関するデータが追記された前記メタデータと、を出力する出力手段とを有し、
前記情報処理装置は、
前記デバイスにより出力された前記仮想表示板付き写真画像及び前記メタデータを蓄積する蓄積手段を有し、
前記端末装置は、
前記情報処理装置に蓄積されている前記仮想表示板付き写真画像を取得する取得手段を有し、
前記印刷装置は、
前記仮想表示板付き写真画像を印刷する印刷手段と、
を有する画像管理システム。
【請求項６】
撮影装置を備えるデバイスを、
前記撮影装置により撮影された写真画像の上に、工事現場に関する所定の記入項目が設けられた仮想表示板画像を記憶させる記憶手段と、
ユーザの入力操作に応じて、前記記入項目に対する、前記工事現場に関するデータを入力する入力手段と、
前記写真画像の撮影に応じて作成され当該写真画像に関する情報が記録されたメタデータのメーカー独自領域に前記工事現場に関するデータを追記する追記手段と、
前記工事現場に関するデータが入力された前記仮想表示板画像が重畳された仮想表示板付き写真画像と、前記追記手段により当該工事現場に関するデータが追記された前記メタデータと、を出力する出力手段と
して機能させるためのプログラム。
【請求項７】
撮影手段と、
前記撮影手段により撮影された写真画像の上に、工事現場に関する所定の記入項目が設けられた仮想表示板画像を記憶する記憶手段と、
ユーザの入力操作に応じて、前記記入項目に対する、前記工事現場に関するデータを入力する入力手段と、
前記写真画像の撮影に応じて作成され当該写真画像に関する情報が記録されたメタデータのメーカー独自領域に前記工事現場に関するデータを追記する追記手段と、
前記工事現場に関するデータが入力された前記仮想表示板画像が重畳された仮想表示板付き写真画像と、前記追記手段により当該工事現場に関するデータが追記された前記メタデータと、を出力する出力手段と、
を有するデバイス。
【請求項８】
請求項７に記載のデバイスとネットワークを介して接続する情報処理装置であって、
前記デバイスにより出力された前記仮想表示板付き写真画像及び前記メタデータを取得する取得手段と、
取得した前記メタデータのメーカー独自領域に記録された前記工事現場に関するデータに基づき、前記仮想表示板付き写真画像の分類あるいは整理を行う管理手段と、
を有する情報処理装置。
【請求項９】
請求項７に記載のデバイスとネットワークを介して接続する情報処理装置であって、
前記デバイスにより出力された前記仮想表示板付き写真画像及び前記メタデータを取得する取得手段と、
取得した前記メタデータのメーカー独自領域に記録された前記工事現場に関するデータに基づき、前記仮想表示板付き写真画像の分類あるいは整理を行う管理手段と、
前記工事現場に関するデータを用いて前記仮想表示板付き写真画像を検索する検索手段と、
を有する情報処理装置。
【請求項１０】
デバイスに搭載されるプログラムであって、工事現場に関する所定の記入項目が設けられた仮想表示板画像を記憶手段に記憶させ、工事現場に関するデータを入力させる入力画面を表示させ、写真画像の上に重畳して表示させる前記仮想表示板画像を選択させる選択画面を表示させ、改ざん防止あるいは抑制のための処理を行った上で前記デバイスが有する撮影装置により撮影された写真画像の上に前記仮想表示板画像を重畳した仮想表示板付き写真画像を外部に出力させる前記プログラムを生成する方法であって、
前記仮想表示板画像を記録する処理を実行するプログラムを記録する工程と、
前記入力画面を表示する処理を実行するプログラムを記録する工程と、
前記入力画面を介した前記記入項目に対する入力に応じて、前記工事現場に関するデータを記録する処理を実行するプログラムを記録する工程と、
前記選択画面を表示する処理を実行するプログラムを記録する工程と、
前記写真画像の撮影に応じて作成され当該写真画像に関する情報が記録されたメタデータのメーカー独自領域に前記工事現場に関するデータを追記する処理を実行するプログラムを記録する工程と、
前記工事現場に関するデータが入力された前記仮想表示板画像が重畳された仮想表示板付き写真画像と、前記追記する処理により当該工事現場に関するデータが追記された前記メタデータと、を出力する処理を実行するプログラムを記録する工程と、
を有する方法。
【手続補正２】
【補正対象書類名】明細書
【補正対象項目名】０００８
【補正方法】変更
【補正の内容】
【０００８】
本発明では上記のような点に鑑みて、工事現場において現場写真の撮影業務を行うとき、その業務の効率化を図るプログラム、撮影装置を備える装置及び該装置における方法を提供することを目的とする。
【手続補正３】
【補正対象書類名】明細書
【補正対象項目名】０００９
【補正方法】変更
【補正の内容】
【０００９】
上記の目的を達成するために、本発明に係る撮影装置を備えるデバイスと、情報処理装置と、を含み、前記撮影装置により撮影された写真画像の上に、工事現場に関する所定の記入項目が設けられた仮想表示板画像を重畳した、仮想表示板付き写真画像を保存する画像管理システムでは、
前記デバイスは、
前記仮想表示板画像を記憶する記憶手段と、
ユーザの入力操作に応じて、前記記入項目に対する、前記工事現場に関するデータを入力する入力手段と、
前記写真画像の撮影に応じて作成され当該写真画像に関する情報が記録されたメタデータのメーカー独自領域に前記工事現場に関するデータを追記する追記手段と、
前記工事現場に関するデータが入力された前記仮想表示板画像が重畳された前記仮想表示板付き写真画像と、前記追記手段により当該工事現場に関するデータが追記された前記メタデータと、を出力する出力手段とを有し、
前記情報処理装置は、
前記デバイスにより出力された前記仮想表示板付き写真画像及び前記メタデータを取得する取得手段と、
取得した前記メタデータのメーカー独自領域に記録された前記工事現場に関するデータに基づき、前記仮想表示板付き写真画像の分類あるいは整理を行う管理手段と、
を有する。
【手続補正４】
【補正対象書類名】明細書
【補正対象項目名】００１１
【補正方法】変更
【補正の内容】
【００１１】
本発明によれば、工事現場において現場写真の撮影業務を行うとき、その業務の効率化を図るプログラム、撮影装置を備える装置及び該装置における方法を提供することができる。